(57)【要約】【課題】磁気カードリーダが情報端末の左右どちらの位置にある場合でも、同じ磁気カードの移動操作でデータを取得する磁気カードリーダ付の情報端末を開発すること。【解決手段】情報端末は、本体の表面を交差する対角線の交点と裏面を交差する対角線の交点とを結ぶ軸線を中心に本体を回転させたときの回転角を検出する。情報端末は、検出される回転角に基づいて、磁気カードリーダの位置が予め設定された正位置範囲または逆位置範囲のどちらに当たるかを判定する。情報端末は、磁気カードリーダの位置が逆位置範囲にあると判定された場合に、磁気カードリーダで読み取った磁気カードのカードデータ列を逆順のデータ列として処理する。【選択図】      図２
2015222496.tif 000002
【特許請求の範囲】
【請求項１】
本体の表面に入力デバイスと表示デバイスとを配置し、周縁部に磁気カードリーダを配置し、かつ外部装置と着脱自在に接続する情報端末であって、
前記本体の表面を交差する対角線の交点と裏面を交差する対角線の交点とを結ぶ軸線を中心に前記本体を回転させたときの回転角を検出する角度検出手段と、
前記角度検出手段により検出される回転角に基づいて、前記磁気カードリーダの位置が予め設定された正位置範囲または逆位置範囲のどちらに当たるかを判定する判定手段と、
前記磁気カードリーダの位置が逆位置範囲にあると判定された場合に、前記磁気カードリーダで読み取った磁気カードのカードデータ列を逆順のデータ列として処理するカード処理手段と、
を有することを特徴とする情報端末。
【請求項２】
前記本体に前記外部装置が接続されているか否かを確認し、前記本体と前記外部装置とが接続されていないと確認された場合に前記角度検出手段を起動する確認手段をさらに有することを特徴とする請求項１に記載の情報端末。
【請求項３】
前記入力デバイスは、商取引に係るデータの入力を受け付け、
前記本体は、前記入力デバイスから入力されたデータと前記磁気カードリーダで読み取られた前記磁気カードのカードデータとに基づき商取引のカード決済を処理する処理部を備えたことを特徴とする請求項１または２記載の情報端末。
【請求項４】
本体の表面に商取引に係るデータの入力を受け付ける入力デバイスと表示デバイスとを配置し、周縁部に磁気カードリーダを配置し、前記入力デバイスから入力されたデータと前記磁気カードリーダで読み取られた前記磁気カードのカードデータとに基づき商取引のカード決済を処理する処理部を備えた情報端末と、
前記情報端末と着脱自在に接続される外部装置と、
を有する商品販売データ処理装置であって、
前記情報端末は、
前記本体の表面を交差する対角線の交点と裏面を交差する対角線の交点とを結ぶ軸線を中心に前記本体を回転させたときの回転角を検出する角度検出手段と、
前記角度検出手段により検出される回転角に基づいて、前記磁気カードリーダの位置が予め設定された正位置範囲または逆位置範囲のどちらに当たるかを判定する判定手段と、
前記磁気カードリーダの位置が逆位置範囲にあると判定された場合に、前記磁気カードリーダで読み取った磁気カードのカードデータ列を逆順のデータ列として処理するカード処理手段と、を有し、
前記外部装置は、
前記情報端末の処理部で処理されたカード決済のデータを受信する受信手段を、
を有することを特徴とする商品販売データ処理装置。
【請求項５】
前記情報端末は、
前記本体に前記外部装置が接続されているか否かを確認し、前記本体と前記外部装置とが接続されていないと確認された場合に前記角度検出手段を起動する確認手段、をさらに有することを特徴とする請求項４記載の商品販売データ処理装置。
【請求項６】
本体の表面に入力デバイスと表示デバイスとを配置し、周縁部に磁気カードリーダを配置し、かつ外部装置を着脱自在に接続する情報端末のコンピュータに、
前記本体の表面を交差する対角線の交点と裏面を交差する対角線の交点とを結ぶ軸線を中心に前記本体を回転させたときの回転角を検出する機能と、
前記回転角に基づいて、前記磁気カードリーダの位置が予め設定された正位置範囲又は逆位置範囲のどちらに当たるかを判定する機能と、
前記磁気カードリーダの位置が逆位置範囲にあると判定された場合に、前記磁気カードリーダで読み取った磁気カードのカードデータ列を逆順のデータ列として処理する機能と、
を実現させるための制御プログラム。
【発明の詳細な説明】
【技術分野】
【０００１】
本発明の実施形態は、情報端末、制御プログラム及び商品販売データ処理装置に関する。
【背景技術】
【０００２】
近年では、タッチパネルを搭載し、指で操作する携帯型の情報端末、いわゆるタブレット型情報端末（以下、単に情報端末という。）が普及している。この情報端末をカード決済も行える磁気カードリーダを搭載したＰＯＳ端末として利用することも知られている。この情報端末を使うことにより、例えば、売場にて接客をしながら客が購入する商品の販売データを登録、決済処理ができる。
【０００３】
情報端末は、固定されていないため、操作者の利き手等により情報端末の持ち手が異なる。このため、情報端末の一側面に設けられた磁気カードリーダの位置が、操作者の情報端末の持ち方により変わると、磁気カードの読取の不具合が発生することがある。
【先行技術文献】
【特許文献】
【０００４】
【特許文献１】特開２０１０−４９４２９号公報
【発明の概要】
【発明が解決しようとする課題】
【０００５】
そこで、磁気カードリーダが情報端末の左右どちらの位置にある場合でも、磁気カードの移動方向を変えることなくデータを取得することができる磁気カードリーダ付の情報端末の開発が望まれている。
【課題を解決するための手段】
【０００６】
一実施形態において、情報端末は、本体の表面に入力デバイスと表示デバイスとを配置し、周縁部に磁気カードリーダを配置し、かつ外部装置と着脱自在に接続する。そして情報端末は、角度検出手段と、判定手段と、カード処理手段とを有する。角度検出手段は、本体の表面を交差する対角線の交点と裏面を交差する対角線の交点とを結ぶ軸線を中心に本体を回転させたときの回転角を検出する。判定手段は、角度検出手段により検出される回転角に基づいて、磁気カードリーダの位置が予め設定された正位置範囲または逆位置範囲のどちらに当たるかを判定する。カード処理手段は、磁気カードリーダの位置が逆位置範囲にあると判定された場合に、磁気カードリーダで読み取った磁気カードのカードデータ列を逆順のデータ列として処理する。
【図面の簡単な説明】
【０００７】
【図１】図１は、本実施形態に示す商品販売データ処理装置の斜視図である。
【図２】図２は、図１の商品販売データ処理装置に取り付けられる情報端末である。
【図３】図３は、図１の商品販売データ処理装置の主要な各部の接続関係を表したブロック図である。
【図４】図４は、図２の情報端末の磁気カードの処理の流れを示すフローチャートである。
【図５】図５は、ＣＰＵが、図１に組み込まれた角度センサで検出される角度データを判定値へ置換するためのデータテーブルである。
【図６】図６は、従来の情報端末の磁気カードリーダが磁気カードの読取をする方向を示す説明図である。（ａ）は、情報端末が正位置範囲にある一例であり、（ｂ）は、情報端末を（ａ）の位置からタッチパネルの表面の交点を通る仮想軸を中心として１８０度回転した状態を示す。
【図７】図７は、図２の情報端末の磁気カードリーダが磁気カードの読取をする方向を示す説明図である。（ａ）は、図５の判定値が０の場合の一例である。（ｂ）は、図５の判定値が１の場合の一例である。
【発明を実施するための形態】
【０００８】
以下、磁気カードリーダが情報端末の左右どちらの位置にある場合でも、磁気カードの移動方向を変えることなくデータを取得することができる磁気カードリーダ付情報端末の実施形態について、図面を用いて説明する。
【０００９】
なお、この実施形態は、図１に示すように本体である情報端末１を活用してＰＯＳ端末としての機能を実現してなる商品販売データ処理装置１００を例示する。
【００１０】
はじめに、商品販売データ処理装置１００を用いたＰＯＳシステムの概略について説明する。ＰＯＳシステムは、複数台の商品販売データ処理装置１００と、各商品販売データ処理装置１００を一元的に管理する店舗サーバ（不図示）とを含む。各商品販売データ処理装置１００と店舗サーバとは、ＬＡＮ（Local Area Network）等のネットワークを介して双方向通信自在に接続される。また、ネットワークには、少なくとも１台の無線中継機が接続される。
【００１１】
図１は、本実施形態に示す商品販売データ処理装置１００の斜視図であり、図２は情報端末１をドッキングステーション２から分離した状態を示した斜視図である。図１に示すように、商品販売データ処理装置１００は、それぞれ情報端末１と外部装置であるドッキングステーション２とからなる。情報端末１は、ドッキングステーション２に対して着脱自在である。情報端末１は、接続した状態のときだけでなく分離した状態のときでも、ＰＯＳ端末としての機能を実現できる。ドッキングステーション２は、ドロア３やレシート印刷用のプリンタ５３（図３を参照）等と情報端末１１を電気的に接続する。
【００１２】
また、図２に示すように、情報端末１は、矩形で板状を有する筐体１０と、筐体１０の表面に入力デバイス１１ｂと表示デバイス１１ａとを備えたタッチパネル１１とを有する。そして情報端末１は、筐体１０の周縁部の図示右側に磁気カードリーダ２０を取り付けている。
【００１３】
図３は、情報端末１とドッキングステーション２との要部構成を示すブロック図である。情報端末１は、駆動電源としてバッテリ３０を備える。さらに情報端末１は、ＣＰＵ（Central Processing Unit）４０、ＲＯＭ（Read Only Memory）４１、ＲＡＭ（Random Access Memory）４２、時計部４３、タッチパネルコントローラ４４、ＵＳＢ（Universal Serial Bus）コネクタ４６、無線ユニット４７、ドッキング用コネクタ４５、入力ポート４８、角度センサ４９を搭載する。ＣＰＵ４０と、ＲＯＭ４１、ＲＡＭ４２、時計部４３、タッチパネルコントローラ４４、ＵＳＢコネクタ４６、無線ユニット４７、ドッキング用コネクタ４５及び入力ポート４８とは、アドレスバス，データバス等のバスライン７０によって接続される。
【００１４】
ＣＰＵ４０は、コンピュータの中枢部分に相当する。ＣＰＵ４０は、オペレーティングシステムやアプリケーションプログラムに従って、ＰＯＳ端末としての各種の機能を実現するべく各部を制御する。
【００１５】
ＲＯＭ４１は、上記コンピュータの主記憶部分に相当する。ＲＯＭ４１は、上記のオペレーティングシステムやアプリケーションプログラムを記憶する。ＲＯＭ４１は、ＣＰＵ４０が各種の処理を実行する上で必要なデータを記憶する場合もある。
【００１６】
ＲＡＭ４２は、上記コンピュータの主記憶部分に相当する。ＲＡＭ４２は、ＣＰＵ４０が各種の処理を実行する上で必要なデータを必要に応じて記憶する。またＲＡＭ４２は、ＣＰＵ４０が各種の処理を行う際のワークエリアとしても利用される。  時計部６４は、現在の日付及び時刻を計時する。  
タッチパネル１１は、画像等を表示する表示デバイス１１ａと、表示された画像等に情報を入力する入力デバイス１１ｂとを含む。タッチパネル１１が接続されるタッチパネルコントローラ４４は、表示デバイス１１ａの画面表示を制御するとともに、入力デバイス１１ｂの信号を監視する。そしてタッチパネルコントローラ４４は、タッチ操作された位置座標情報とその時点における表示デバイス１１ａの画面情報とから、入力データを検出する。
【００１７】
ＵＳＢコネクタ４６は、ＵＳＢ規格に準拠した通信方式を有する種々のＵＳＢデバイスを着脱自在に接続するためのコネクタである。本実施形態では、磁気カードに対するデータの読み取り及び書込みが可能なＵＳＢ対応の磁気カードリーダ２０が、ＵＳＢコネクタ４６に接続される。
【００１８】
無線ユニット６７は、無線中継機との間で無線通信を利用してデータの送受信を行う。
【００１９】
角度センサ４９は入力ポート４８と接続される。角度センサ４９は、ドッキングステーション２から分離された情報端末１の角度を検出する。具体的には、情報端末１のタッチパネル１１の表示面を交差する対角線の交点とその裏面を交差する対角線の交点とを結ぶ仮想の軸線を中心に情報端末１を回転させたときの回転角を検出するセンサである。言い換えれば、この角度センサ４９は、情報端末１が基準位置（実施形態においては、ドッキングステーション２に固定されている位置とする。）から仮想の軸線を中心に何度傾いているかを検出する。センサとしては、例えば、ジャイロセンサ、加速度センサ等が用いられる。
【００２０】
ドッキング用コネクタ４５は、情報端末１をドッキングステーション２に接続するためのコネクタである。ドッキング用コネクタ４５は、筐体１０のタッチパネル１１が設けられた表示面とは反対側の面（裏面と称する）に設けられる。なお、情報端末１と外部装置であるドッキングステーション２との接続位置および方法については、これに限られない。
【００２１】
ドッキングステーション２は、据え置き可能な箱型の筐体８０を有する。またドッキングステーション２は、筐体８０の上面を正面側に向けて傾斜させて、情報端末１の取付面８１を有する。そして、図３に示すように、ドッキングステーション２は、取付面８１に拡張用コネクタ５１を配置する。取付面８１に情報端末１を背面側から取り付けることで、拡張用コネクタ５１がドッキング用コネクタ４５と接続される。これにより、情報端末１は、ドッキングステーション２と電気的に接続される。
【００２２】
ドッキングステーション２は、拡張用コネクタ５１の他、補助記憶デバイス５０、電源ユニット５２、プリンタ５３、通信インターフェース６０、Ｉ／Ｏコントローラ６１を備える。
【００２３】
拡張用コネクタ５１と、補助記憶デバイス５０、プリンタ５３、通信インターフェース６０及びＩ／Ｏコントローラ６１とは、アドレスバス，データバス等のバスライン７１によって接続される。
【００２４】
補助記憶デバイス５０は、コンピュータの補助記憶部分に相当する。補助記憶デバイス５０は、例えばＥＥＰＲＯＭ（electric erasable programmable read-only memory）、ＨＤＤ（Hard Disk Drive）、あるいはＳＳＤ（solid state drive）などである。補助記憶デバイス５０は、情報端末１のＣＰＵ４０が各種の処理を行う上で使用するデータや、ＣＰＵ４０での処理によって生成されたデータを保存する。補助記憶デバイス５０は、アプリケーションプログラムを記憶する場合もある。
【００２５】
電源ユニット５２は、補助記憶デバイス５０やプリンタ５３等の入出力デバイス等に対して駆動電源を供給する。また、電源ユニット５２は、情報端末１のバッテリ３０を充電するための給電を、拡張用コネクタ５１を介して行う。なお、情報端末１のバッテリ３０を充電するための給電方法については、拡張用コネクタ５１と電気的に接続されればよく、例えば非接触形式の充電方式を用いることも可能である。
【００２６】
プリンタ５３は、搬送されるロール紙に例えばサーマル方式で印字する。印字されたロール紙は、レシート発行口から排出され、切断されて、レシートとして発行される。プリンタ５３は、ロール紙としてラベル用紙を用いることで、ラベルを発行することも可能である。また、プリンタ５３は、サーマル方式以外の印字方式を採用したものであってもよい。
【００２７】
通信インターフェース６０は、ネットワークに接続される。通信インターフェース６０は、ネットワークを介して情報端末１と店舗サーバとの間で行われるデータの送受信を司る。
【００２８】
Ｉ／Ｏコントローラ６１は、ドロア３等と電気的に接続し、その動作を制御する。
【００２９】
続いて、磁気カードリーダ２０について説明する。磁気カードリーダ２０は、情報端末１とは別体の外付け型を用いた。磁気カードリーダ２０は、矩形の筐体２１を有する。筐体２１の一面（情報端末１のタッチパネル１１と同じ面）の長手方向の略中央部に磁気カードを移動するための読取溝２２を有する。読取溝２２を介して両側に磁気カードのデータの読取装置が配置される。本実施形態においては、情報端末１側に位置する読取装置をＸ、他方側をＹとした。なお、本実施形態においては、情報端末１と磁気カードリーダ２０とは、別体として構成したが、一体として構成されるものであってもよい。
【００３０】
実施形態の磁気カードリーダ２０は、いわゆるクレジットカード等の磁気カードに対応する。磁気カードは、必要な情報を磁気ストライプにデータ列として格納している。磁気カードの磁気ストライプは一面に限られない。格納するデータ種により、磁気カードの両面に磁気ストライプを備えた磁気カードもある。例えば、一方面にクレジットカードの暗証番号を格納し、他方面の磁気ストライプにポイントカードのポイントデータを格納することもできる。このように、磁気カードのそれぞれの面の磁気ストライプには、別々の情報が格納されている。そこで、両面に磁気ストライプを有する磁気カードに対応するため、本実施形態の磁気カードリーダ２０も読取溝の両側に読取装置ＸおよびＹを有する。
【００３１】
ここで、磁気カードと磁気カードリーダとの簡単な動作について説明する。
【００３２】
磁気カードリーダ２０は、磁気カードが読取溝２２を移動されると、磁気ストライプに記録されたデータを磁気カードの移動方向の先頭から順番にデータ列として読み取る。読み取られたデータ列は、情報端末１内のシフトレジスタにシリアルに格納される。例えば、図６（ａ）に示す磁気カードリーダ２０は、読取装置Ｘがポイントのデータ列を読み取る装置で、読取装置Ｙがクレジットカードの番号等を読み取る装置とする。この場合、磁気カードの磁気ストライプの移動面もそれぞれの読取装置Ｘ及びＹに対応して移動する必要がある。これ以外の方向に磁気カードが移動されると磁気ストライプのデータ列の読取が正しく行われずエラーとなる。このため、磁気カードには、通常、据え置き型の磁気カードリーダを想定しての磁気カードの移動方向を案内するための矢印がプリントされている。
【００３３】
続いて、本実施形態に係る情報端末１の磁気カードの処理フローについて図４を用いて説明する。
【００３４】
この処理フローは、情報端末１の処理部であるＣＰＵ４０が実行する主要な情報処理手段を示している。この手順は、ＲＯＭ４１に記憶された制御プログラムに従う。なお、この処理フローに示すとともに、以下に説明する処理の内容は一例であって、同様な結果を得られるような様々な処理を適宜利用することが可能である。
【００３５】
ＣＰＵ４０は、磁気カードリーダ２０によって磁気カードのデータが読み取られるのを待機する（Ａｃｔ１）。磁気カードリーダ２０からの信号により、磁気カードのデータが磁気カードリーダ２０によって読み取られたことを確認すると（Ａｃｔ１においてＹＥＳ）、ＣＰＵ４０は、情報端末１とドッキングステーション２との接続状態を確認する（Ａｃｔ２：確認手段）。情報端末１のドッキング用コネクタ４５とドッキングステーション２の拡張用コネクタ５１とが電気的に接続されている場合、ＣＰＵ４０は、情報端末１とドッキングステーション２とが接続状態にあると認定する（Ａｃｔ２においてＹＥＳ）。ＣＰＵ４０は、Ａｃｔ５の処理に進む。
【００３６】
Ａｃｔ２において、情報端末１がドッキングステーション２と分離されているとＣＰＵ４０が判断した場合には、角度検出手段へ移行する。
【００３７】
図６（ａ）に正位置範囲にある情報端末１の概略図を示す。ここで、磁気カードリーダ２０は、図示右側に位置している。磁気カードは、磁気カードにプリントされた移動指示方向に従って、磁気カードリーダ２０の読取溝２２の上から下に矢印Ｚで示す方向に移動する。
【００３８】
これに対して、図６（ｂ）に示すように情報端末１が１８０度回転された場合には、読取溝２２の両側に備えられた読取装置ＸおよびＹの左右位置、上下位置が逆転する。このため、図６（ｂ）に示すように読取装置ＸおよびＹの左右位置、上下位置が逆転した状態で、磁気カードを図６（ａ）と同じように読取溝２２を移動させた場合（図６（ｂ）における矢印Ｚ方向と逆方向に移動させた場合）には、磁気カードの磁気ストライプの接触面と読取装置Ｘ及びＹの接触面が逆になり磁気カードのデータ列を正しく読みだすことができない。もちろん、この位置の場合には、図６（ｂ）の矢印Ｚ方向に磁気カードを移動させることによりデータ列を正確に読み取ることが可能である。しかし、情報端末１を片手で保持した状態で、図６（ｂ）の矢印Ｚの方向に磁気カードを移動することは、非常にやりづらい。また、手前から前方へ押し出すように磁気カードを移動させる動作は、誤って情報端末１に磁気カードを持った手が当たったときに情報端末１が操作者の前方へ飛んで落下するおそれがある。
【００３９】
このため本実施形態においては、角度検出手段により検出される回転角に基づいて、磁気カードリーダ２０の位置が予め設定された正位置範囲又は逆位置範囲のどちらに当たるかを判定する判定手段を設けた。例えば、図７（ｂ）に示す情報端末１のように磁気カードリーダ２０の位置が図示左側に１８０度回転された場合にも、磁気カードリーダ２０における磁気カードの移動方向を図示上から下方向に移動させることでカード情報の読取を可能とした。
【００４０】
具体的には、本実施形態の情報端末１がドッキングステーション２から分離されている場合には、ＣＰＵ４０は、角度センサ４９を用いて、情報端末１の角度から、磁気カードリーダ２０の位置を判定する（Ａｃｔ４）。具体的には、情報端末１に内蔵された角度センサ４９は、ドッキングステーション２から情報端末１が分離されると作動する。そして角度センサ４９は、検出角度に応じて検出信号を出力する。ＣＰＵ４０は、角度センサ４９から出力される角度信号から角度Ｔを検出し、図５に示すデータテーブル９０を参照して判定値に置換する（判定手段）。例えば、情報端末１の角度が０度以上９０度以下の傾きの場合には、ＣＰＵ４０は、判定値を０とする（正位置範囲）。傾きが９０度を超えて、２７０度以下の範囲にある場合には、ＣＰＵ４０は、判定値を１とする（逆位置範囲）。情報端末１の傾きが、２７０度より大きく３６０度以下（つまりは、０度）の間にあるときには、ＣＰＵ４０は、判定値を０とする（正位置範囲）。このようにＣＰＵ４０は、情報端末１の傾きから、磁気カードリーダ２０の位置を判定する判定手段を有している。なお、図５に示すデータテーブル９０の角度は、情報端末１の表面を交差する対角線の交点と裏面を交差する対角線の交点とを結ぶ軸線を中心に情報端末１を回転させたときの回転角を表している。そして、０度は情報端末１がドッキングステーション２に接続されている状態を基準位置とした。
【００４１】
判定値が“０”の場合、ＣＰＵ４０は、図７（ａ）に示すように磁気カードリーダ２０は正位置範囲（図示右側）にあると判定する(図４参照)。この場合、ＣＰＵ４０は、Ａｃｔ５の処理に進む。
【００４２】
判定値が“１”の場合、ＣＰＵ４０は、図７（ｂ）に示すように磁気カードリーダ２０は逆位置範囲（図示左側）にあると判定する。この場合、ＣＰＵ４０は、Ａｃｔ８の処理に進む。
【００４３】
Ａｃｔ５では、ＣＰＵ４０は、磁気カードリーダ２０が正位置範囲であると判断する。この場合、ＣＰＵ４０は、シフトレジスタに格納された磁気カードのデータを、シフトレジスタの先頭のセルから順番に読み出す（Ａｃｔ６）。そしてＣＰＵ４０は、この読み出したカードデータに対してその後の処理を実行する（Ａｃｔ７）。
【００４４】
Ａｃｔ８では、ＣＰＵ４０は、磁気カードリーダ２０が逆位置範囲に位置していると判断する。この場合、ＣＰＵ４０は、シフトレジスタに格納された磁気カードのデータを、シフトレジスタの後方のセルから順番に読み出す。すなわちＣＰＵ４０は、カードデータを逆順に読み出すカード処理手段を有している（Ａｃｔ９）。そしてＣＰＵ４０は、逆順に読み出したカードデータに対してその後の処理を実行する（Ａｃｔ７）。
【００４５】
このように磁気カードのデータ列を逆順に展開して処理することにより、磁気カードリーダ２０が逆位置範囲にある場合であっても、正確にカードデータを読取って処理することができる。なお、このときにタッチパネル１１に磁気カードの磁気ストライプのどちらの面を読取装置Ｘ及びＹのどちらの面を対応させて移動させるのかの方向を示した、注意書きや、イラストが表示するようにしておくと、操作者が磁気カードの移動方向の間違いによる読取りエラーが起らない。
【００４６】
本実施形態においては、磁気カードとしてクレジットカード、キャッシュカード、デビットカードなどの金融機関向けの磁気カードと、それらを処理するＰＯＳ端末であって、インターネットを介して暗証番号等のデータを相互に受け渡し可能な装置を例に説明したが、磁気カードの使用態様はこれに限られない。例えば、ポイントカードや、カードキー等のものであってもよい。
【００４７】
本実施形態においては、拡張用コネクタ５１がドッキング用コネクタ４５と接続されることで、情報端末１がドッキングステーション２と電気的に接続され、各種データの受信をする、としているが、受信手段はこれに限らない。情報端末１とドッキングステーション２の接続は、コネクタによる電気的な接続ではなく、無線で接続されても良い。この場合、ドッキングステーション２にも無線ユニットを設け、データの受信手段として情報端末１の無線ユニット４７と無線通信をすることもできる。
【００４８】
また、無線で接続をする場合、情報端末１をドッキングステーション２に取り付けた状態で、情報端末１の非接触充電をするようにしても良い。この場合、情報端末１は、非接触受電ユニットを備え、ドッキングステーション２は非接触充電ユニットを備える。
【００４９】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  発明とその均等の範囲に含まれる。
【００５０】
また、情報端末１の譲渡は一般に、制御プログラム等のプログラムがＲＯＭに記憶された状態にて行われる。しかしこれに限らず、コンピュータ装置が備える書き込み可能な記憶デバイスに、このコンピュータ装置とは個別に譲渡された制御プログラム等がユーザなどの操作に応じて書き込まれてもよい。制御プログラム等の譲渡は、リムーバブルな記録媒体に記録して、あるいはネットワークを介した通信により行うことができる。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のＯＳ（オペレーティング・システム）等と協働してその機能を実現させるものであってもよい。
【符号の説明】
【００５１】
１…情報端末、１０…筐体、１１…タッチパネル、１１ａ…表示デバイス、１１ｂ…入力デバイス、２…ドッキングステーション、３…ドロア、２０…磁気カードリーダ、２１…筐体、２２…読取溝、３０…バッテリ、４０…ＣＰＵ、４１…ＲＯＭ、４２…ＲＡＭ、４３…時計部、４４…タッチパネルコントローラ、４５…ドッキング用コネクタ、４６…ＵＳＢコネクタ、４７…無線ユニット、４８…入力ポート、４９…角度センサ、５１…拡張用コネクタ、５２…電源ユニット、５３…プリンタ、６０…通信インターフェース、６１…Ｉ/Ｏコントローラ、７０、７１…バスライン、８０…筐体、８１…取付面、９０…データテーブル、Ｘ,Ｙ…読取装置、Ｚ…磁気カード読取方向。
【図１】
2015222496.tif 000003
【図２】
2015222496.tif 000004
【図３】
2015222496.tif 000005
【図４】
2015222496.tif 000006
【図５】
2015222496.tif 000007
【図６】
2015222496.tif 000008
【図７】
2015222496.tif 000009